(57)【要約】【課題】ノズルの吐出口から吐出される空気の風圧を確保するとともに、風量の低下を防止できるヘアードライヤーを提供する。【解決手段】本体ケース１内に形成された空気流路８と、空気流路８内に配置されて空気流路８に導入された空気を送風するファン１０および導入された空気を加熱するヒータ１３と、空気流路８の下流側端部に接続されファン１０により送風された空気を吐出するノズル４と、を備え、ノズル４の吐出口３が矩形に形成されるとともに、吐出口３の長手側におけるノズル４の側部１８が、凸弧形に形成されるようにした。【選択図】図２
2008104499.tif 000002
【特許請求の範囲】
【請求項１】
ハウジング内に形成された空気流路と、空気流路内に配置されて空気流路に導入された空気を送風するファンおよび導入された空気を加熱するヒータと、空気流路の下流側端部に設けられた接続部によりハウジングに接続され、ファンにより送風された空気を吐出するノズルと、を備え、ノズルの吐出口が矩形に形成されるとともに、吐出口の長手側において、接続部の吐出口側端部から吐出口側のノズルの側部が、凸弧形に広がるように形成されたヘアードライヤー。
【請求項２】
前記吐出口の短手側におけるノズルの側部が、凹弧形に形成された請求項１記載のヘアードライヤー。
【請求項３】
前記吐出口の長手側において、吐出口端部から接続口への所定の距離におけるノズルの両側部が互いに平行となるように形成された請求項１または２記載のヘアードライヤー。
【発明の詳細な説明】
【技術分野】
【０００１】
本願発明は、温風や冷風を吐出して毛髪の乾燥やセット等を行うヘアードライヤーに関する。
【背景技術】
【０００２】
ヘアードライヤーにおいては、図４、５に示すように必要な風圧を確保するため、空気流路の下流側端部に設けられた接続口に接続されたノズル５１において、このノズル５１の吐出口５２を、前記接続口の断面積、すなわち接続口に接続されるノズル５１の接続部５３の断面積より小さい断面積を有する矩形に形成している。
【０００３】
上記矩形に形成された吐出口５２の長手側におけるノズル５１の側部５４においては、上記接続口側から吐出口５２側に向かって直線状に広がるように形成されており、一方短手側におけるノズル５１の側部５５においては、上記接続口側から吐出口５２側に向かって直線状に絞られるように形成されている（特許文献１）。
【０００４】
また、図６、７に示すように、長手側におけるノズル５１の側部５４が凹弧形に形成され、かつ短手側におけるノズル５１の側部５５も凹弧形に形成される場合もあり、いずれのノズル５１においても、上記接続口の断面積よりも吐出口５２の断面積を絞るように構成されている。
【特許文献１】実開昭５４−６５２７８号公報
【発明の開示】
【発明が解決しようとする課題】
【０００５】
しかしながら、前記背景技術の特許文献１に記載のヘアードライヤーのノズルにおいては、接続口の断面積よりも吐出口の断面積が絞られているために、必要な風圧を確保できる一方で、ノズルの吐出口から吐出される空気の風量が低下する場合があった。このため、上記風量を確保するために、送風装置を大型化する必要が生じていた。
【０００６】
本願発明はこのような上記背景技術の課題を解決するものであり、ノズルの吐出口から吐出される空気の風圧を確保するとともに、風量の低下を防止できるヘアードライヤーを提供することを目的とする。
【課題を解決するための手段】
【０００７】
上記課題を解決するために、本願発明は、ハウジング内に形成された空気流路と、空気流路内に配置されて空気流路に導入された空気を送風するファンおよび導入された空気を加熱するヒータと、空気流路の下流側端部に設けられた接続部によりハウジングに接続され、ファンにより送風された空気を吐出するノズルと、を備え、ノズルの吐出口が矩形に形成されるとともに、吐出口の長手側において、接続部の吐出口側端部から吐出口側のノズルの側部が、凸弧形に広がるように形成されたことを特徴としている。
【０００８】
また、前記吐出口の短手側におけるノズルの側部が、凹弧形に形成されてもよい。
【０００９】
さらに、前記吐出口の長手側において、吐出口端部から接続口への所定の距離におけるノズルの両側部が互いに平行となるように形成されてもよい。
【発明の効果】
【００１０】
本願発明のヘアードライヤーにおいては、ノズル内を通過する空気の圧力損失を低減できるために、ノズルから吐出される空気の風圧を確保するとともに、風量の低下を防止できるヘアードライヤーを提供できる。
【００１１】
また、吐出口の短手側におけるノズルの側部が、凹弧形に形成されることで、接続口の断面積よりも吐出口の断面積を効率よく絞ることができる。
【００１２】
さらに、前記吐出口の長手側において、吐出口端部から接続口への所定の距離におけるノズルの両側部が互いに平行となるように形成されることで、ノズルから吐出される空気の風圧を向上するとともに、風量の低下をより防止することができる
【発明を実施するための最良の形態】
【００１３】
図１は、本願発明の第１の実施形態であるヘアードライヤーを示している。このヘアードライヤーは、図１に示すようにハウジングとしての本体ケース１があり、その本体ケース１には空気の吸入口２と、環状に形成され空気の吐出口３が設けられたノズル４が接続される接続口５が配置されている。
【００１４】
上記ノズル４において、接続口５に接続される接続部６は、接続口５と同様に環状に形成されており、一方、吸入口２には、本体ケース１内へのゴミや埃等の侵入を防止するために格子状に形成されたフィルター７が設けられている。
【００１５】
次に、本体ケース１内には空気流路８が設けられており、この空気流路８内には、モータ９とモータ９に接続されたファン１０からなり、吸入口２から空気を吸入して空気流路８に送風する送風部１１が設けられている。
【００１６】
上記空気流路８内において、送風部１１の下流側には断面が十字形に形成された絶縁板１２と、この絶縁板１２の外側に巻線されたヒータ１３からなる加熱部１４が設けられている。
【００１７】
また、本体ケース１の下部には、使用者が把持する把持部１５が設けられており、この把持部１５には、送風部１１および加熱部１４を制御して、送風状態を微風、弱風、および強風の順に切換える、多段形スライド方式の切換えスイッチ１６と、前記切換えスイッチ１６の上側に、加熱部１４のオンまたはオフを制御して、送風状態を温風または冷風に切換えるプッシュ式の切換えスイッチ１７が設けられている。
【００１８】
次に図２、３に示すように、ノズル４の吐出口３は矩形に形成されており、吐出口３の反対側に設けられた本体ケース１への接続部６は環状に形成されている。ここで、吐出口３の断面積は接続部６の断面積より小さくなるように設定されており、上記ノズル４内は、接続部６側から吐出口３側へ、断面積が絞られた構成となっている。
【００１９】
ここで、上記吐出口３の長手方向の幅は接続部６の幅より大きくなるように設定されており、吐出口３の短手方向の幅は、逆に接続部６の幅より小さくなるように設定されている。
【００２０】
上記ノズル４において、接続部６の吐出口３側端部から吐出口３側の長手方向の側部１８は凸弧形に形成されており、吐出口３の短手方向の側部１９は、凹弧形に形成されていて、接続部６側から吐出口３側への断面積が絞りがスムースに構成されるようになしている。
【００２１】
また、吐出口３の長手方向の側部１８において、吐出口３から所定の距離までは、両側部１８が互いに平行になるように形成されている。さらに、吐出口３の短手方向の側部１９においても、吐出口３から所定の距離までは、両側部１９が互いに平行になるように形成されている。
【００２２】
以上の構成において、本願発明の実施形態におけるヘアードライヤーの動作を図１、２を用いて説明する。
【００２３】
使用者が、本体ケース１の下部に設けられた把持部１５を把持して切換えスイッチ１６を弱風に選択すると、送風部１１においてモータ９が駆動され、モータ９に接続されたファン１０が回転する。
【００２４】
このとき、使用者が切換えスイッチ１６を微風に選択した場合は、モータ９の回転速度が弱風より小さくなるように制御され、切換えスイッチ１６を強風に選択した場合は、モータ９の回転速度が弱風より大きくなるように制御される。
【００２５】
次に使用者が、切換えスイッチ１７を温風に切換えると、加熱部１４のヒータ１３が駆動される。ここで、切換えスイッチ１７を冷風に切換えた場合は、ヒータ１３は駆動されないように制御されている。
【００２６】
ファン１０が回転すると吸入口２より空気が吸入され、吸入された空気は送風部１１の下流側に設けられた加熱部１４を通過するが、加熱部１４のヒータ１３が駆動されているため、加熱部１４を通過する空気は加熱された後、空気流路８を流れて空気流路８の下流側端部に設けられた接続口５に、接続部６により接続されたノズル４に送風される。
【００２７】
接続部６よりノズル４に導入された空気は、吐出口３に向かって送風されるが、上記ノズル４内は、接続部６側から吐出口３側へ、断面積が絞られた構成となっているために、ノズル４内を流れる空気の風圧が増加する。
【００２８】
このとき、図２、３に示すように、吐出口３の長手方向の側部１８は凸弧形に形成されているために、特にノズル４内における吐出口３付近での断面積の減少は緩やかとなることから、ノズル４内を流れる空気の風ベクトルWの乱れが抑制され、その結果、風圧の圧力損失が低減され、かつ風量の減少も低減される。
【００２９】
また、上記吐出口３の短手方向の側部１９が、凹弧形に形成されていることから、ノズル４内における吐出口３付近での断面積の減少を、より緩やかなものとすることができるために、ノズル４内を流れる空気の風圧の圧力損失をさらに低減することができる。
【００３０】
さらに、吐出口３の長手方向の側部１８において、吐出口３から所定の距離までは、各々の側部１８が互いに平行になるように形成されており、吐出口３の短手方向の側部１９においても、吐出口３から所定の距離までは、各々の側部１９が互いに平行になるように形成されていることから、吐出口３付近において吐出口３より接続部６側の断面積を吐出口３の断面積と同一もしくは同等程度にできるために、風圧の圧力損失、および風量の減少をさらに抑制することが可能となる。
【００３１】
そして、風圧が高められた空気は吐出口３より吐出され、使用者の毛髪等に供給される。
【００３２】
以上のように本願発明の実施形態によれば、ノズル４の吐出口３から吐出される空気の風圧の圧力損失および風量の低下を抑制することができることから、特に本ヘアードライヤーを、ヘアーサロン等における、いわゆるプロ用として用いた場合は、高い風圧かつ風量で短冊状の幅広集中風を吐出することが可能となることから、濡れた毛髪の速乾性や毛髪の根元における乾燥性が向上し、さらに毛髪のセット性をも向上できるヘアードライヤーを提供することができる。
【００３３】
なお、上記本願発明の実施形態においては、ファン１０の形状については特に示していないが、圧力損失などの抵抗変化に対して流量変動が少ないターボファンを用いてもよく、また、シロッコファンや軸流ファンを用いてもよい。
【００３４】
吐出口３の長手方向の側部１８における凸曲面形状のＲは、ノズル４内において、断面積の減少が略一定になるように設定することが好ましい。
【図面の簡単な説明】
【００３５】
【図１】本願発明の第１の実施形態であるヘアードライヤーの内部構造を示す正面図。
【図２】同ヘアードライヤーのノズルの斜視図。
【図３】（ａ）同ヘアードライヤーのノズルの短手方向の断面図。（ｂ）同ヘアードライヤーのノズルの長手方向の断面図。
【図４】従来のヘアードライヤーのノズルの斜視図。
【図５】（ａ）同ヘアードライヤーのノズルの短手方向の断面図。（ｂ）同ヘアードライヤーのノズルの長手方向の断面図。
【図６】同ヘアードライヤーのノズルの別の形態を示す斜視図。
【図７】（ａ）同ヘアードライヤーのノズルの短手方向の断面図。（ｂ）同ヘアードライヤーのノズルの長手方向の断面図。
【符号の説明】
【００３６】
１  本体ケース
３  吐出口
４  ノズル
６  接続部
８  空気流路
１０  ファン
１３  ヒータ
１８  側部
１９  側部
【図１】
2008104499.tif 000003
【図２】
2008104499.tif 000004
【図３】
2008104499.tif 000005
【図４】
2008104499.tif 000006
【図５】
2008104499.tif 000007
【図６】
2008104499.tif 000008
【図７】
2008104499.tif 000009